(57)【要約】【課題】引出しユニットの出し入れに伴う屈曲・伸展動作に際し、ケーブル類に過大な張力や応力が加わることなく、また、煩雑なケーブル類の固定作業を必要とせず、しかも、美観の点でも優れている引出し用ケーブル類保護案内ガイドを提供すること。【解決手段】ケース本体１３０と該ケース本体内に引き出し自在に収納した引出しユニット１１０との間に装架されたケーブル類を保護案内する引出し用ケーブル類保護案内ガイドであって、前記ケーブル類を囲繞し直線状態に支持する２つの直線支持部材１４０と、前記２つの直線支持部材を所定の曲率以上で屈曲可能に接合する屈曲部材１２０とを有する構成とする。【選択図】　　図１
2004040847.tif 000002
【特許請求の範囲】
【請求項１】
ケース本体と該ケース本体内に引き出し自在に収納した引出しユニットとの間に装架されたケーブル類を保護案内する引出し用ケーブル類保護案内ガイドにおいて、
前記ケーブル類を囲繞し直線状態に支持する２つの直線支持部材と、
前記２つの直線支持部材を所定の曲率以上で屈曲可能に接合する屈曲部材とを有することを特徴とする引出し用ケーブル類保護案内ガイド。
【発明の詳細な説明】
【０００１】
【発明の属する技術分野】
本発明は、ケース本体と該ケース本体内に引き出し自在に収納した引出しユニットとの間に装架されたケーブル類を保護案内する引出し用ケーブル類保護案内ガイドに関するものである。
【０００２】
【従来の技術】
従来のケース本体と該ケース本体内に引き出し自在に収納した引出しユニットとの間に装架されたケーブル類を保護案内する引出し用ケーブル類保護案内ガイドとしては、図４に示すように、ヒンジ２２０により屈曲自在に接合された板金支持具２４０にケーブル類２６０を紐２８０等で固定したものが知られていた。
【０００３】
【発明が解決しようとする課題】
ところが、前記のような従来の引出し用ケーブル類保護案内ガイド２００にあっては、屈曲部がヒンジ２２０により接合されているため、屈曲の時に２つの板金支持具２４０が鋭角に屈曲され、板金支持具２４０に固定されたケーブル類２６０に張力が加わり、ケーブル類２６０が断線する原因となっていた。
【０００４】
また、ケーブル類２６０を板金支持具２４０に紐２８０等で固定しているため屈曲の度にケーブル類２６０に圧迫応力が加わり、断線の原因となっていた。さらに、板金支持具２４０にケーブル類２６０を紐２８０等で固定する作業が煩雑であり、製造コスト上昇の原因となっていた。
【０００５】
さらに、１つのヒンジに板金支持具及びケーブル類の重量が集中するため、ヒンジの寿命を短くしていた。しかも、ケーブル類は、板金支持具上にむき出しに敷設されているため、美観や信頼性の観点からも改善が嘱望されていた。
【０００６】
そこで、本発明の目的は、引出しユニットの出し入れに伴う屈曲・伸展動作に際し、ケーブル類に過大な張力や応力が加わることなく、また、煩雑なケーブル類の固定作業を必要とせず、しかも、美観の点でも優れている引出し用ケーブル類保護案内ガイドを提供することにある。
【０００７】
【課題を解決するための手段】
本発明の引出し用ケーブル類保護案内ガイドは、ケース本体と該ケース本体内に引き出し自在に収納した引出しユニットとの間に装架されたケーブル類を保護案内する引出し用ケーブル類保護案内ガイドであって、前記ケーブル類を囲繞し直線状態に支持する２つの直線支持部材と、前記２つの直線支持部材を所定の曲率以上で屈曲可能に接合する屈曲部材とを有することによって、上記課題を解決するものである。
【０００８】
【作用】
本発明の引出し用ケーブル類保護案内ガイドは、ケーブル類を囲繞し直線状態に支持する２つの直線支持部材と、前記２つの直線支持部材を所定の曲率以上で屈曲可能に接合する屈曲部材とを有する構成としたことによって、ケーブル類に過大な張力や応力が加わることなく、引出しユニットがケース本体に対し、円滑に摺動する。
【０００９】
【発明の実施の形態】
次に、本発明の好ましい実施の形態を図面を用いて説明する。図１は本発明の一実施例である引出し用ケーブル類保護案内ガイド１００を示す概念図である。１１０はケース本体１３０に引き出し自在に収納した引出しユニットである。この実施例では、ケース本体１３０がオフィスで使用される机であり、引出しユニット１１０が前記机の下に収納され、必要なときに引き出すことが可能なパソコンのサーバである場合について説明している。ケース本体１３０及び引出しユニット１１０の具体例としては、これに限られず、冷蔵庫本体と当該冷蔵庫本体に引き出し可能に取り付けられた収納トレイ等、ケース本体と当該ケース本体に引き出し可能に収納された引出しユニットであって、ケース本体と引出しユニットとの間に電源ライン、信号の入出力ケーブル、センサの信号線等のケーブル類を装架する必要があるものであればどのような態様であっても構わない。
【００１０】
ケース本体１３０の背面内側と該ケース本体内に引き出し自在に収納した引出しユニット１１０の背面外側との間に、電源ラインや信号ケーブル等のケーブル類がケーブル類保護案内ガイドに保護されて装架されている。
【００１１】
このケーブル類保護案内ガイドは、前記ケーブル類を囲繞し直線状態に支持する２つの直線支持部材１４０と、前記２つの直線支持部材を所定の曲率以上で屈曲可能に接合する屈曲部材１２０とを有している。前記２つの直線支持部材１４０の一端は、取付金具１５０により、ケース本体１３０及び引出しユニット１１０に、それぞれ枢設されている。また、図１に示すように、前記直線支持部材１４０と前記取付金具１５０との間にリンク部材１５２を介在させることにより、引出しユニット１１０を大きく引き出した場合であっても、取付金具１５０近傍において、ケーブル類に過大な曲げ応力が加わることが回避される。
【００１２】
次に前記屈曲部材１２０と前記直線支持部材１４０の具体的構成について図２及び図３を用いてを詳述する。図２は、本発明に用いられる屈曲部材１２０の一例である。この屈曲部材１２０は、支持フレーム１２１に対して垂直に対峙固定された一対のリンクプレート１２２、１２２が複数個連結されることにより構成されている。支持フレーム１２１と対向して、片側がリンクプレート１２２に回動可能に軸支されたアーム１２５が、前記一対のリンクプレート１２２に開閉自在に取り付けられている。
【００１３】
さらに、リンクプレートに一体的に成形された連結凸部１２３とリンクプレートに穿孔された連結孔１２４とが嵌合することにより、複数のリンクプレートが屈曲自在に連結されている。そして、連結されるリンクプレート１２２は、重なり合う面となる外面１２２ａ及び内面１２２ｂが係合可能な形状に削られており連結されたリンクプレート相互の回動が所定の範囲内に規制されている。図１に示した引出し用ケーブル類保護案内ガイド１００の例では、６つの連結されたリンクプレートにより屈曲部材１２０が構成されており、所定の曲率未満の屈曲を回避している。
【００１４】
図３は、本発明に用いられる直線支持部材１４０の一例である。この直線支持部材１４０は、上述した屈曲部材を構成する１つのリンクプレートが軸方向に長く延びた形状をしている。そして、このリンクプレート１４２の一端に設けた連結凸部１４３が、ケース本体又は引出しユニットに設置した取付金具１５０と回動可能に連結される。また、前記リンクプレート１４２の他端に穿孔した連結孔１４４が、屈曲部材１２０の連結凸部と嵌合している。直線支持部材１４０の一側面を形成するアーム１４５は、片辺がリンクプレート１４２に回動可能に軸支されており、アーム１４５が、リンクプレート１４２に開閉自在に取り付けられている。
【００１５】
なお、アーム１４５は、前記リンクプレート１４２と略同じ長さを持つ一枚の板として構成することもできるが、図３に示したように、複数の穴を開口させたり、図示はしていないが、長さの短いアームを複数枚、間隔をあけて取り付けることも可能である。そうすることにより、ケーブルが発熱した場合であっても、ガイド内に熱がこもらないだでけでなく、材料費の削減、ガイドの軽量化が図れるというメリットがある。さらに、本実施例のようにオフィスの机とその下に収納するパソコンのサーバとの接続に本装置を使用する場合には、上述のようにアーム１４５に複数の穴１４６を開口させることにより、前記サーバの背面に設けた冷却用ファン１１５から冷却孔１３５に抜ける冷却風Ｗの流れを妨げることなく、しかも、前記穴１４６を介してケーブル類保護案内ガイドの中を流れる冷却風Ｗにより、ケーブル類保護案内ガイドの中のケーブル類が冷却されるという効果もあり、一層好ましい。
【００１６】
本実施例では、屈曲部材１２０に設けられたアーム１２５及び直線支持部材１４０に設けられたアーム１４５をリンクプレート１２２、１４２に対して、上述のように開閉自在に設けられているため、ケーブル類保護案内ガイドをケース本体及び引出しユニットに固定した後に、アーム１２５及びアーム１４５を開いてケーブル類を収納することができる。また、ケーブル類保護案内ガイドの設置後にケーブル類を取り替えたり、追加したりすることも簡単に行うことができる。
【００１７】
なお、上述した例では、屈曲部材として、複数のリンクプレートが、リンクプレートに一体的に成形された連結凸部とリンクプレートに穿孔された連結孔とが嵌合することにより、屈曲自在に連結されたチェーン状のものを用いているが、屈曲時の曲率を所定の曲率以上に確実に規制できる構造であれば、これに限られることはない。例えば、外周面を蛇腹状に成形した合成樹脂製可撓性パイプ等を用いることも可能である。
【００１８】
さらに直線支持部材についても、ケーブル類を確実に直線状態に支持することができるものであれば、どのような構造のものであっても構わない。例えば、ケーブル類保護案内ガイドの全体を上記に屈曲部材の構成として説明した複数のリンクプレートが屈曲自在に連結されたチェーン状のものとして構成し、それに所定の長さの断面矩形の２本のパイプを被せることにより、直線支持部材を構成することも可能である。
【００１９】
【発明の効果】
本発明の引出し用ケーブル類保護案内ガイドは、ケーブル類を囲繞し直線状態に支持する２つの直線支持部材と、前記２つの直線支持部材を所定の曲率以上で屈曲可能に接合する屈曲部材とを有する構成としたことによって、ケーブル類に過大な張力や応力が加わることなく、引出しユニットを出し入れすることが可能になる。また、ケーブル類は、ケーブル類保護案内ガイド内に収納しているだけであり、固定する必要がないため、設置作業がきわめて簡単になる。さらに、ケーブル類の取り替えや、追加等も簡単に行うことができる。しかも、ケーブル類は、ケーブル類保護案内ガイドの中に収納されているので、美観の点でも優れている。
【図面の簡単な説明】
【図１】本発明の実施例である引出し用ケーブル類保護案内ガイドを示す概略図。
【図２】図１に示した引出し用ケーブル類保護案内ガイドに用いた屈曲部材の斜視図。
【図３】図１に示した引出し用ケーブル類保護案内ガイドに用いた直線支持部材の斜視図。
【図４】従来の引出し用ケーブル類保護案内ガイドを説明する概略図。
【符号の説明】
１００、２００　・・・　引出し用ケーブル類保護案内ガイド
１１０　　　　　・・・　引出しユニット
１１５　　　　　・・・　冷却用ファン
１２０　　　　　・・・　屈曲部材
１２１　　　　　・・・　支持フレーム
１２２　　　　　・・・　リンクプレート
１２３　　　　　・・・　連結凸部
１２４　　　　　・・・　連結孔
１２５　　　　　・・・　アーム
１３０　　　　　・・・　ケース本体
１３５　　　　　・・・　冷却孔
１４０　　　　　・・・　直線支持部材
１４２　　　　　・・・　リンクプレート
１４３　　　　　・・・　連結凸部
１４４　　　　　・・・　連結孔
１４５　　　　　・・・　アーム
１５０　　　　　・・・　取付金具
１５２　　　　　・・・　リンク部材
２２０　　　　　・・・　ヒンジ
２４０　　　　　・・・　板金支持具
２６０　　　　　・・・　ケーブル類
２８０　　　　　・・・　紐
Ｗ　　　　　　　・・・　冷却風
【図１】
2004040847.tif 000003
【図２】
2004040847.tif 000004
【図３】
2004040847.tif 000005
【図４】
2004040847.tif 000006